(57)【要約】【課題】カード挿入時に自動的に抜け防止が解除され、カード挿入後に自動的に抜け防止が作動するデジタル放送受信用カードコネクタを提供する。【解決手段】実施形態によれば、収容部と抜け防止機構とを有する。収容部は、先端隅部が斜めに切り欠かれ、先端から後端に亘ってその両側が平行かつストレートに延出したデジタル放送受信用カードが抜出可能に挿入される。抜け防止機構は、カード挿入領域に一部入り込んだ第１位置と、カード挿入領域から回避した第２位置との間で変位可能な抜け防止部材と、抜け防止部材を常に第１位置に向けて付勢する付勢部材と、カード挿入時にカードの先端隅部からの押圧力を受けて、抜け防止部材を付勢部材の付勢力に抗して、第２位置に向けて変位させる受け部とを備える。カード挿入後、付勢部材の付勢力によって抜け防止部材が第１位置に変位することでカードが収容部から抜け出るのを防止する。【選択図】図４
2015122197.tif 000002
【特許請求の範囲】
【請求項１】
先端隅部が斜めに切り欠かれ、先端から後端に亘ってその両側が平行かつストレートに延出したデジタル放送受信用カードが抜き出し可能に挿入される収容部と、
前記収容部に収容された前記カードが抜け出るのを防止する抜け防止機構と、を有し、
前記抜け防止機構は、
前記収容部へのカード挿入領域に一部入り込んだ第１位置と、前記カード挿入領域から回避した第２位置との間で変位可能な抜け防止部材と、
前記抜け防止部材を常に前記第１位置に向けて付勢する付勢部材と、
前記抜け防止部材に設けられ、カード挿入時に、前記カードの前記先端隅部からの押圧力を受けて、当該抜け防止部材を、前記付勢部材の付勢力に抗して、前記第２位置に向けて変位させる受け部と、を備えており、
前記カードが前記収容部に挿入されたとき、前記付勢部材の付勢力によって前記抜け防止部材が前記第１位置に変位することで、当該カードが前記収容部から抜け出るのを防止するように構成されたデジタル放送受信用カードコネクタ。
【請求項２】
前記カードにおいて、その肉厚をＴ、前記先端ないし前記後端の幅をＷ、前記先端から前記後端に亘る長さをＬ、前記先端隅部の傾斜角をθとすると、
０.６８ｍｍ≦Ｔ≦０.８４ｍｍ
１４.９ｍｍ≦Ｗ≦１５.１ｍｍ
２４.９ｍｍ≦Ｌ≦２５.１ｍｍ
４３°≦θ≦４７°
なる関係を満足する請求項１に記載のデジタル放送受信用カードコネクタ。
【請求項３】
前記抜け防止機構において、前記抜け防止部材の前記受け部は、前記カードの前記先端隅部の傾斜方向に沿った勾配を成している請求項１または２に記載のデジタル放送受信用カードコネクタ。
【請求項４】
前記収容部に挿入された前記カードを抜出方向に押圧するイジェクト機構を、さらに有し、
前記イジェクト機構は、
前記収容部に挿入された前記カードの前記先端が当接する当接部と、
前記当接部を前記カードの抜出方向に向けて押圧する押圧部材と、を備える請求項１〜３のいずれか１に記載のデジタル放送受信用カードコネクタ。
【請求項５】
前記抜け防止機構において、前記抜け防止部材には、前記カードが前記収容部に挿入されることで当該抜け防止部材が前記第１位置に変位したときに、当該カードの前記後端を一部係止する係止部が設けられており、
前記収容部に挿入された前記カードは、前記押圧部材の押圧力によって前記当接部と前記係止部との間で挟まれた状態に保持されて抜け止めされる請求項４に記載のデジタル放送受信用カードコネクタ。
【請求項６】
前記抜け防止機構において、前記抜け防止部材の前記係止部は、前記カードの抜出方向に直交し、かつ、当該カードの前記後端に平行となる形状を成している請求項５に記載のデジタル放送受信用カードコネクタ。
【発明の詳細な説明】
【技術分野】
【０００１】
本発明の実施形態は、デジタル放送受信用カードコネクタに関する。
【背景技術】
【０００２】
デジタル衛星放送、地上デジタルテレビ放送、１１０度ＣＳデジタル放送などの各種のデジタル放送を受信するテレビやチューナ、セットトップボックスなどの電子機器が知られている。電子機器には、映像や音声などのデジタルデータの受信者を限定するために、例えばＢ−ＣＡＳカード（ＢＳ  Ｃｏｎｄｉｔｉｏｎａｌ  Ａｃｃｅｓｓ  Ｓｙｓｔｅｍｓ  Ｃａｒｄ）などのデジタル放送受信用カードを出し入れ可能に収容するカードコネクタが設けられている。
【先行技術文献】
【特許文献】
【０００３】
【特許文献１】特開２００７−２５０４８８号公報
【特許文献２】特開２００２−１６４１２１号公報
【発明の概要】
【発明が解決しようとする課題】
【０００４】
カードコネクタには、収容したデジタル放送受信用カードが抜け出るのを防止する抜け防止機構が設けられる場合がある。従来の抜け防止機構によれば、カード挿入時に手動で抜け防止を解除するとともに、カード挿入後に再び手動で抜け防止を作動させなければならない。
【０００５】
本発明の目的は、カード挿入時に自動的に抜け防止が解除され、カード挿入後に自動的に抜け防止が作動するデジタル放送受信用カードコネクタを提供することにある。
【課題を解決するための手段】
【０００６】
一実施形態に係るデジタル放送受信用カードコネクタは、収容部と、抜け防止機構とを有する。収容部は、先端隅部が斜めに切り欠かれ、先端から後端に亘ってその両側が平行かつストレートに延出したデジタル放送受信用カードが抜き出し可能に挿入される。抜け防止機構は、収容部へのカード挿入領域に一部入り込んだ第１位置と、カード挿入領域から回避した第２位置との間で変位可能な抜け防止部材と、抜け防止部材を常に第１位置に向けて付勢する付勢部材と、カード挿入時に、カードの先端隅部からの押圧力を受けて、当該抜け防止部材を、付勢部材の付勢力に抗して、第２位置に向けて変位させる受け部とを備えている。カードが収容部に挿入されたとき、付勢部材の付勢力によって抜け防止部材が第１位置に変位することで、当該カードが収容部から抜け出るのを防止する。
【図面の簡単な説明】
【０００７】
【図１】（ａ）は、一実施形態に係るデジタル放送受信用カードコネクタを搭載したテレビを背面側から見た斜視図、（ｂ）は、一実施形態に係るデジタル放送受信用カードコネクタに対してＩＣカードを挿入する状態を拡大して示す斜視図。
【図２】（ａ）は、一実施形態に適用したＩＣカードを端子部側から見た平面図、（ｂ）は、一実施形態に適用したＩＣカードの側面図。
【図３】（ａ）は、一実施形態に係るデジタル放送受信用カードコネクタをカバー側から見た平面図、（ｂ）は、一実施形態に係るデジタル放送受信用カードコネクタからカバーを外した状態において、ベースに構築された内部構成を示す平面図。
【図４】一実施形態において、カード挿入時に、自動的に抜け防止が解除された状態を示す平面図。
【図５】一実施形態において、カード挿入中の状態を示す平面図。
【図６】一実施形態において、ＩＣカードがイジェクト機構に当接した状態を示す平面図。
【図７】一実施形態において、カード挿入後に、自動的に抜け防止が作動した状態を示す平面図。
【図８】一実施形態において、カード抜出時に、手動で抜け防止を解除させた状態を示す平面図。
【図９】一実施形態の変形例に係るデジタル放送受信用カードコネクタの内部構成を示す平面図。
【発明を実施するための形態】
【０００８】
以下、一実施の形態について、図面を参照して説明する。
【０００９】
図１（ａ）,（ｂ）には、電子機器の一例として、デジタル衛星放送、地上デジタルテレビ放送、１１０度ＣＳデジタル放送などの各種のデジタル放送を受信可能なテレビジョン受信装置２（以下、テレビと称する）が示されている。テレビ２は、図示しない表示部品が組み込まれた筐体４と、筐体４を支持するスタンド６と、を有している。
【００１０】
表示部品としては、例えば、液晶ディスプレイ（ＬＣＤ）、プラズマディスプレイ、有機ＥＬディスプレイのような静止画や動画などの各種画像を表示するパネル部品が用いられる。筐体４は、例えば合成樹脂によって薄型の箱形状に成形されている。スタンド６は、筐体４の背面側を支持するように設けられ、筐体４の向きや高さを調整可能に構成されている。スタンド６で筐体４を支持することで、当該筐体４に組み込まれた表示部品の向きや高さを調整することができる。
【００１１】
筐体４には、一方の側面にカードスロット８が設けられている。カードスロット８は、デジタル放送の受信者を限定するためのデジタル放送受信用カード１０を挿入・抜出可能に構成されている。デジタル放送受信用カード１０としては、例えばＢ−ＣＡＳカードなどのＩＣカードを適用することができる。
【００１２】
Ｂ−ＣＡＳカード１０は、デジタル放送関連業者の共同出資により設立された株式会社ビーエス・コンディショナルアクセスシステムズ（以下、Ｂ−ＣＡＳ社と称する）によって開発・発行され、統一規格として日本国内で標準化されている。Ｂ−ＣＡＳカード１０を差し替えることで、別のテレビでも同様のデジタル放送を受信することができる。
【００１３】
図２（ａ）,（ｂ）には、デジタル放送受信用カード１０（以下、カードと称する）の標準規格が示されている。カード１０は、先端隅部１０ｐが斜めに切り欠かれ、先端１０ａから後端１０ｂに亘ってその両側が平行かつストレートに延出しているとともに、先端１０ａ側および後端１０ｂ側も互いに平行かつストレートに延出している。カード１０の一方の表面には、当該カード１０の固有識別番号が印字される領域１０ｓと、８個のカード端子Ｅ１〜Ｅ８から成るカード端子部１０ｔとが構成されている。
【００１４】
さらに、カード１０の外形形状として、当該カード１０の肉厚Ｔは、０.６８ｍｍ≦Ｔ≦０.８４ｍｍなる関係を満足するように設定されている。当該カード１０の先端１０ａないし後端１０ｂの幅Ｗは、１４.９ｍｍ≦Ｗ≦１５.１ｍｍなる関係を満足するように設定されている。当該カード１０の先端１０ａから後端１０ｂに亘る長さＬは、２４.９ｍｍ≦Ｌ≦２５.１ｍｍなる関係を満足するように設定されている。
【００１５】
さらに、カード１０の先端隅部１０ｐの傾斜角θは、４３°≦θ≦４７°なる関係を満足するように設定されている。具体的には、カード１０の先端隅部１０ｐは、いわゆるＣ面取りが施されている。Ｃ面取り角度θの詳細は、３±０.１×４５°±２°なる関係を満足するように設定されている。
【００１６】
図３（ａ）,（ｂ）には、本実施形態に係るデジタル放送受信用カードコネクタ１２（以下、カードコネクタと称する）が示されている。カードコネクタ１２は、図示しないプリント基板に実装されたベース１２ａと、ベース１２ａを覆うように取り付けられたカバー１２ｂとを備えている。カードコネクタ１２の一端側には、ベース１２ａとカバー１２ｂとで囲まれたカード挿入抜出用開口１２ｈが構成されている。
【００１７】
テレビ２の筐体４において、カードコネクタ１２は、カード挿入抜出用開口１２ｈがカードスロット８（図１（ａ）,（ｂ）参照）に対向するように配置されている。カードスロット８にカード１０を投入することで、当該カード１０を、カード挿入抜出用開口１２ｈを介してカードコネクタ１２に抜き出し可能に挿入することができる。
【００１８】
カードコネクタ１２は、カード１０が抜き出し可能に挿入される収容部１４と、収容部１４に収容されたカード１０が抜け出るのを防止する抜け防止機構１６と、収容部１４に挿入されたカード１０を抜出方向に押圧するイジェクト機構１８と、を有している。
【００１９】
収容部１４には、カード１０の挿入および抜出方向に沿って互いに平行に延出した一対の案内部２０と、８個のコネクタ端子Ｇ１〜Ｇ８から成るコネクタ端子部２２とが設けられている。
【００２０】
一対の案内部２０は、挿入時にカード挿入抜出用開口１２ｈから挿入されたカード１０を収容部１４内に向けて案内するとともに、抜出時に収容部１４からカード挿入抜出用開口１２ｈに向けてカード１０を案内する。
【００２１】
コネクタ端子部２２において、８個のコネクタ端子Ｇ１〜Ｇ８は、カード１０が収容部１４に収容された際に、当該カード１０の８個のカード端子Ｅ１〜Ｅ８と１つずつ接触するように配列されている。各コネクタ端子Ｇ１〜Ｇ８は、ベース１２ａから立ち上げられた姿勢に構成されており、各カード端子Ｅ１〜Ｅ８に対して弾性的に接触する。
【００２２】
抜け防止機構１６は、カード挿入抜出用開口１２ｈに隣接して配置されており、収容部１４へのカード挿入領域に一部入り込んだ第１位置（図３（ｂ）参照）とカード挿入領域から回避した第２位置（図５、図６参照）との間で変位可能な抜け防止部材２４と、抜け防止部材２４を常に第１位置に向けて付勢する付勢部材２６と、を備えている。
【００２３】
付勢部材２６としては、例えば圧縮コイルばね、板バネなどを用いることができる。図面には付勢部材２６の一例として、板バネが示されている。板バネ２６は、その一端をベース１２ａに固定するとともに、その他端を自由端とし、両端の中間部位を抜け防止部材２４に向けて凸状に湾曲させることで、全体的に弾性を持たせた構造を成している。
【００２４】
本実施形態において、抜け防止部材２４は、収容部１４を回避した位置に配置され、かつ、回転軸２８を中心に矢印Ｒ１,Ｒ２方向に回動可能に構成されている。すなわち、抜け防止部材２４は、その基端側が回転軸２８を介してベース１２ａに回転可能に支持されており、その先端側には、収容部１４に向けて突出した凸状片２４ｐが設けられている。
【００２５】
付勢部材２６は、回転軸２８よりも抜け防止部材２４の先端側の位置において、抜け防止部材２４を挟んで反収容部１４側に配置されている。付勢部材２６の付勢力は、回転軸２８周りに抜け防止部材２４を矢印Ｒ１方向に回転させる力となって作用する。
【００２６】
さらに、回転軸２８よりも抜け防止部材２４の基端側の位置には、ベース１２ａに固定されたストッパ３０が設けられている。ストッパ３０は、抜け防止部材２４を挟んで反収容部１４側において、付勢部材２６と一列に並んだ位置関係を成して配置されている。
【００２７】
具体的には、付勢部材２６とストッパ３０とは、抜け防止部材２４を挟んで反収容部１４側の領域において、カード１０の挿入および抜出方向に沿って整列し、かつ、回転軸２８の両側にそれぞれ配置されている。
【００２８】
これにより、付勢部材２６の付勢力によって抜け防止部材２４を矢印Ｒ１方向へ回転させる力は、ストッパ３０によって受け止められる。この結果、抜け防止部材２４は、凸状片２４ｐがカード挿入領域に一部入り込んだ姿勢に維持された状態となって第１位置（図３（ｂ）参照）に位置付けられる。
【００２９】
さらに、抜け防止部材２４の凸状片２４ｐには、カード挿入時に、カード１０の先端隅部１０ｐからの押圧力を受けて（図４参照）、当該抜け防止部材２４を、付勢部材２６の付勢力に抗して、第２位置（図５、図６参照）に向けて変位させる受け部２４ａが設けられている。
【００３０】
受け部２４ａは、カード１０の先端隅部１０ｐの傾斜方向に沿った勾配を成している。受け部２４ａの勾配については、カード１０の先端隅部１０ｐの傾斜角θ「４３°≦θ≦４７°」に一致あるいは対応させるように設定することが好ましい。例えば一致させる場合には、先端隅部１０ｐの傾斜角度θが４３°であれば、受け部２４ａの勾配を４３°に設定し、あるいは、先端隅部１０ｐの傾斜角度θが４７°であれば、受け部２４ａの勾配を４７°に設定すればよい。
【００３１】
これにより、カード挿入時に、先端隅部１０ｐに対して受け部２４ａを隙間無く密接させることができる。当該カード挿入時における先端隅部１０ｐからの押圧力を漏れ無く受け部２４ａに伝達させることができる。この結果、抜け防止部材２４を、付勢部材２６の付勢力に抗して矢印Ｒ２方向に回転させ、第２位置（図５、図６参照）に向けてスムーズかつ円滑に変位させることができる。
【００３２】
さらに、抜け防止部材２４には、カード挿入後、カード１０が収容部１４に収容された状態において、当該カード１０の後端１０ｂを一部係止する係止部２４ｂが設けられている（図７参照）。係止部２４ｂは、カード１０が収容部１４に挿入されることで当該抜け防止部材２４が第１位置（図３（ｂ）参照）に変位したときに、当該カード１０の後端１０ｂを一部係止する。
【００３３】
具体的には、係止部２４ｂは、抜け防止部材２４の凸状片２４ｐに設けられている。係止部２４ｂの構成としては、抜け防止部材２４が第１位置（図３（ｂ）参照）に位置決めされた状態において、カード１０の抜出方向に直交し、かつ、当該カード１０の後端１０ｂに平行となる形状（図７参照）を成すように設定することが好ましい。
【００３４】
これにより、カード挿入後、収容部１４に収容されたカード１０の後端１０ｂに係止部２４ｂを隙間無く当接させることができる。
【００３５】
さらに、本実施形態に係るカードコネクタ１２には、収容部１４に挿入されたカード１０を抜出方向に押圧するイジェクト機構１８が設けられている。イジェクト機構１８は、収容部１４に挿入されたカード１０の先端１０ａが当接する当接部３２と、当接部３２を前カード１０の抜出方向に向けて押圧する押圧部材３４とを備えている。
【００３６】
当接部３２は、カード１０が収容部１４に収容された状態において、当該カード１０の先端１０ａに対向した位置に設けられている。
【００３７】
押圧部材３４としては、例えば圧縮コイルばね、板バネなどを用いることができる。図面には押圧部材３４の一例として、一対の板バネが示されている。各板バネ３４は、その一端をベース１２ａに固定するとともに、その他端を自由端とし、両端の中間部位を当接部３２に向けて凸状に湾曲させることで、全体的に弾性を持たせた構造を成している。
【００３８】
当接部３２は、一対の押圧部材３４の凸状湾曲部分相互に亘って配置され、例えば接着や溶接などにより各凸状湾曲部分に連結されている。この結果、当接部３２は、一対の押圧部材３４によって支持された状態となり、当該押圧部材３４が弾性変形することで、カード１０の挿入および抜出方向に沿って移動可能に構成されている。
【００３９】
次に、本実施形態に係るカードコネクタ１２の動作について説明する。
【００４０】
先端隅部１０ｐを下方に向けた姿勢で、カード１０をその先端１０ａ側からカードスロット８に投入する（図１（ｂ）参照）。カード１０の先端１０ａがカードコネクタ１２のカード挿入抜出用開口１２ｈに差し掛かると、当該先端隅部１０ｐが第１位置（図３（ｂ）参照）に位置付けられた抜け防止部材２４の受け部２４ａに当接する。この状態でカード１０を挿入すると、先端隅部１０ｐからの押圧力が受け部２４ａに伝達される。
【００４１】
このとき、受け部２４ａが先端隅部１０ｐに沿って相対的に移動することで、抜け防止部材２４が付勢部材２６の付勢力に抗して回転する（図４参照）。さらにカード１０を挿入すると、受け部２４ａが先端隅部１０ｐを乗り越えることで、抜け防止部材２４が第２位置に位置付けられる（図５参照）。
【００４２】
続いて、カード１０は、一対の案内部２０に沿って案内され、先端１０ａが当接部３２に当接する（図６参照）。ここで、一対の押圧部材３４の押圧力に抗して、カード１０を挿入すると、やがて凸状片２４ｐがカード１０の後端１０ｂに差し掛かる。
【００４３】
この後、カード１０が収容部１４に挿入されたとき、凸状片２４ｐがカード１０の後端１０ｂに回り込むことで、付勢部材２６の付勢力が解放される。このとき、抜け防止部材２４が付勢部材２６の付勢力（すなわち、復元力）によって回転する。この回転により抜け防止部材４が第１位置に変位したとき、係止部２４ｂがカード１０の後端１０ｂに対して、これを一部係止するように当接する（図７参照）。
【００４４】
収容部１４に挿入されたカード１０は、一対の押圧部材３４の押圧力（すなわち、復元力）によって当接部３２と係止部２４ｂとの間で挟まれた状態に保持されて抜け止めされる。これにより、当該カード１０が収容部１４から抜け出るのが防止される。
【００４５】
なお、カード１０を収容部１４から抜き出す場合には、第１位置にある抜け防止部材２４の凸状片２４ｐの一部に指を引っ掛けて、当該抜け防止部材２４を、付勢部材２６の付勢力に抗して第２位置に向けて回転させる。
【００４６】
これにより、凸状片２４ｐの係止部２４ｂとカード１０の後端１０ｂとの係止状態が解除されることで、カード１０には、一対の押圧部材３４の押圧力（復元力）が当接部３２を介して伝達される。このとき、当該押圧部材３４の復元量に応じて、カード１０の後端１０ｂが収容部１４からイジェクトされる。この結果、当該カード１０をカードスロット８から抜き出すことができる。
【００４７】
以上、本実施形態に係るカードコネクタ１２によれば、収容部１４へのカード１０の挿入時に自動的に抜け防止機構１６を解除させるとともに、当該収容部１４へのカード１０の挿入後に自動的に抜け防止機構１６を作動させることができる。この場合、カード挿入時に抜け防止機構１６を手動で解除する必要がないため、当該カードコネクタ１２に対するユーザビリティ（使い易さ）を飛躍的に向上させることができる。
【００４８】
さらに、本実施形態に係るカードコネクタ１２によれば、単純な構成を成す抜け防止機構１６だけで、収容部１４に対するカード１０の挿入、収容、抜出が実現できる。この場合、例えばプッシュロック・プッシュイジェクト機構などの複雑な構成を成す構造をカードコネクタ１２に盛り込む必要がないため、部品点数が削減され、その結果、当該カードコネクタ１２の製造コストを大幅に低減させることができる。
【００４９】
なお、上記した一実施形態は、例として提示したものであり、発明の範囲を限定することは意図していない。かかる新規な実施形態は、その他の様々な形態で実施されることが可能であり、発明の要旨を逸脱しない範囲で、種々の省略、置き換え、変更を行うことができる。当該一実施形態やその変形は、発明の範囲や要旨に含まれるとともに、特許請求の範囲に記載された発明とその均等の範囲に含まれる。
【００５０】
上記した一実施形態では、抜け防止部材２４を回転させることで、第１位置と第２位置とに変位させる抜け防止機構１６を想定したが、これに代えて、抜け防止部材２４を平行移動（スライド）させることで、第１位置と第２位置とに変位させる抜け防止機構３６を適用してもよい。
【００５１】
図９には、変形例に係る抜け防止機構３６を備えたカードコネクタ１２の構成が示されている。抜け防止機構３６において、抜け防止部材２４は、その基端側がスライダ３８に固定されている。スライダ３８は、ベース１２ａに設けられたガイド４０に沿って、矢印Ｓ１,Ｓ２方向に移動可能に構成されている。ガイド４０は、カード１０の挿入および抜出方向を横断する方向に沿って延出している。ガイド４０の延出端には、スライダ３８の移動範囲を規制すべく、ベース１２ａに固定されたストッパ４２が設けられている。
【００５２】
スライダ３８およびガイド４０の構成としては、例えば、ガイド４０を凸状に形成し、スライダ３８には、当該凸状ガイド４０が嵌まり込む凹状溝（図示しない）を形成することで、ガイド４０に沿ってスライダ３８を移動させる構成、あるいは、ガイド４０を凹状に形成し、スライダ３８には、当該凹状ガイド４０に嵌まり込む凸状部（図示しない）を形成することで、ガイド４０に沿ってスライダ３８を移動させる構成を適用することができる。
【００５３】
さらに、抜け防止部材２４を挟んで反収容部１４側に付勢部材２６が設けられている。付勢部材２６の付勢力は、常に抜け防止部材２４に作用している。これにより、スライダ３８はガイド４０に沿って矢印Ｓ１方向に移動し、ストッパ４２に当て付けられた状態に維持される。この状態において、抜け防止部材２４は、凸状片２４ｐがカード挿入領域に一部入り込んだ姿勢に維持された状態となって第１位置に位置付けられている。  
その他の構成は、上記した一実施形態と同一であるため、その説明は省略する。
【００５４】
以上、本変形例によれば、カード挿入時に、カード１０の先端隅部１０ｐからの押圧力が受け部２４ａに作用すると、スライダ３８がガイド４０に沿って矢印Ｓ２方向に移動することで、抜け防止部材２４が第１位置から第２位置に変位する。これにより、収容部１４へのカード１０の挿入が可能となる。
【００５５】
カード１０が収容部１４に挿入されたとき、凸状片２４ｐがカード１０の後端１０ｂに回り込むことで、付勢部材２６の付勢力が解放される。このとき、付勢部材２６の付勢力（すなわち、復元力）によってスライダ３８がガイド４０に沿って移動し、ストッパ４２に当て付くことで、抜け防止部材２４が第２位置から第１位置に変位する。これにより、カード１０は、係止部２４ｂによって抜け止めされた状態に維持される。  
その他の動作、並びに、本変形例の効果は、上記した一実施形態と同一であるため、その説明は省略する。
【００５６】
さらに、上記した一実施形態やその変形例では、カードコネクタ１２が用いられる電子機器としてテレビ２を想定したが、これに限定されることはなく、例えばパーソナルコンピュータ、カメラなどの電子機器にも当該カードコネクタ１２を用いることができる。
【符号の説明】
【００５７】
１０…デジタル放送受信用カード、１０ａ…先端、１０ｂ…後端、１０ｐ…先端隅部、１２…デジタル放送受信用カードコネクタ、１２ａ…ベース、１４…収容部、１６…抜け防止機構、１８…イジェクト機構、２０…ガイド、２２…コネクタ端子部、２４…抜け防止部材、２４ａ…受け部、２４ｂ…係止部、２４ｐ…凸状片、２６…付勢部材、２８…回転軸、３０…ストッパ、３２…当接部、３４…押圧部材
【図１】
2015122197.tif 000003
【図２】
2015122197.tif 000004
【図３】
2015122197.tif 000005
【図４】
2015122197.tif 000006
【図５】
2015122197.tif 000007
【図６】
2015122197.tif 000008
【図７】
2015122197.tif 000009
【図８】
2015122197.tif 000010
【図９】
2015122197.tif 000011